(57)【要約】【課題】複数の機能を備える複合機等の画像処理装置において、利便性及び省エネルギー化を向上させることを目的とする。【解決手段】ＭＦＰ１は、供給された電力に基づいて駆動する読取ユニット３及び印刷ユニット５と、読取ユニット３及び印刷ユニット５を省電力状態又は通常状態に移行させる制御部４３と、処理の開始を示す第１の操作情報及び処理の内容を示す第２の操作情報が順次入力される操作パネル１９とを備え、制御部４３は、読取ユニット３及び印刷ユニット５が省電力状態にあるときに操作パネル１９に第１の操作情報が入力されると、読取ユニット３及び印刷ユニット５を通常状態に移行させ、第２の操作情報が入力されると当該第２操作情報に基づいて読取ユニット３又は印刷ユニット５を省電力状態に移行させる。【選択図】  図１
2009081815.tif 000002
【特許請求の範囲】
【請求項１】
供給された電力に基づいて駆動する複数の駆動部と、
前記複数の駆動部を省電力状態又は通常状態に移行させる制御部と、
処理の開始を示す第１の操作情報及び処理の内容を示す第２の操作情報が順次入力される操作情報入力部とを備え、
前記制御部は、前記複数の駆動部が省電力状態にあるときに前記操作情報入力部に前記第１の操作情報が入力されると、前記複数の駆動部を通常状態に移行させ、前記第２の操作情報が入力されると当該第２操作情報に基づいて特定の駆動部を省電力状態に移行させること
を特徴とする画像処理装置。
【請求項２】
前記第２の操作情報により指定される処理内容に対応させて、前記複数の駆動部のうちの何れの駆動部を使用するかを示す使用ユニット情報を記憶する記憶部を備え、
前記制御部は、前記記憶部に記憶された前記使用ユニット情報を参照し、前記操作情報入力部に入力された前記第２の操作情報により示される処理内容にかかる処理において使用されない前記駆動部を省電力状態に移行させること
を特徴とする請求項１記載の画像処理装置。
【請求項３】
複数の画像処理部と、
前記複数の画像処理部を省電力状態又は通常状態に移行させる制御部と、
画像処理の開始を示す第１の操作情報及び画像処理の内容を示す第２の操作情報が順次入力される操作情報入力部とを備え、
前記制御部は、前記複数の画像処理部が省電力状態にあるときに前記操作情報入力部に前記第１の操作情報が入力されると、前記複数の画像処理部を通常状態に移行させ、前記第２の操作情報が入力されると当該第２操作情報に基づいて特定の画像処理部を省電力状態に移行させること
を特徴とする画像処理装置。
【発明の詳細な説明】
【技術分野】
【０００１】
本発明は、画像処理装置に関する。
【背景技術】
【０００２】
従来から、複写機、プリンタ、ファクシミリ等の複数の画像処理部を統合した、いわゆるデジタル複合機が多く知られている。そしてこの様なデジタル複合機のプリンタとしては、電子写真方式を用いるものが知られている。電子写真方式のプリンタは、用紙等の記録媒体上に転写、形成されたトナー像を加熱、加圧して用紙上に定着させる定着器を備える。この様な定着器は、ヒータ等の加熱手段を備えており、かかる加熱手段の温度は、温度制御回路及び温度センサにより、一定の温度まで加熱され、保温される。そしてこの様な加熱手段の加熱処理は、電源投入後、又は複合機が待機状態から立ち上がる際に実行される。この際、複合機は、加熱手段が定着可能温度に上昇する等の一連の予備処理が終了するまで印刷処理を実行することができないが、装置の利便性又は省エネルギー化の観点から、予備処理に要する時間の短縮が望まれる。そしてこの様な課題を解決する発明としては、特許文献１に記載された発明がある。
【０００３】
【特許文献１】特開２００５−２９７２６４公報
【０００４】
具体的には、この特許文献１に記載された画像形成装置は、ユーザが選択した機能又はジョブ入力が行われた機能にかかる構成のみをウォームアップすることで、省エネルギー化を実現することとしている。
【発明の開示】
【発明が解決しようとする課題】
【０００５】
しかしながら、この様な画像形成装置では、ウォームアップを行わせる機能を制限することで省エネルギー化は実現されているものの、選択した機能が使用可能となるのは、必要とされる複数個の機能からなる機能ブロックのウォーミングアップに要する時間を経過した後となる為、予備処理に有する時間が長くなってしまうという問題があった。
【０００６】
そこで本発明はこの様な実情に鑑みてなされたものであり、複数の機能を備える複合機等の画像処理装置において、利便性及び省エネルギー化を向上させることを目的とする。
【課題を解決するための手段】
【０００７】
上記課題を解決するために、本発明にかかる画像処理装置は、供給された電力に基づいて駆動する複数の駆動部と、前記複数の駆動部を省電力状態又は通常状態に移行させる制御部と、処理の開始を示す第１の操作情報及び処理の内容を示す第２の操作情報が順次入力される操作情報入力部とを備え、前記制御部は、前記複数の駆動部が省電力状態にあるときに前記操作情報入力部に前記第１の操作情報が入力されると、前記複数の駆動部を通常状態に移行させ、前記第２の操作情報が入力されると当該第２操作情報に基づいて特定の駆動部を省電力状態に移行させることを特徴としている。
【０００８】
この構成によれば、画像処理装置は、第１の操作情報が入力された時点で複数の駆動部を通常状態に移行させ、第２の操作情報が入力された時点で特定の駆動部を省電力状態に移行させることができる。そしてこれにより画像処理装置は、最終的には第２の操作情報で示される処理内容に応じた駆動部のみを駆動させることができる。
【発明の効果】
【０００９】
この様に、本発明によれば、利便性及び省エネルギー化を向上させることができる。
【発明を実施するための最良の形態】
【００１０】
以下、本発明を適用した具体的な実施の形態について図面を参照しながら詳細に説明する。
【００１１】
図１に示す様に、実施の形態にかかる画像処理装置としてのＭＦＰ（Multi Function Peripheral）１は、電源ＶＤＤから供給された電力に基づいて駆動する、画像処理部としての読取ユニット３と、印刷ユニット５とを備える。
【００１２】
読取ユニット３は、所定の読取台上にセットされた用紙をスキャンする。そしてスキャンに際して読取ユニット３は、所定の光源を発光させて当該光を用紙に照射する。そして、読取ユニット３は、用紙からの反射光を撮像素子で検出し、用紙に印刷された画像を読み取る。そして読取ユニット３が備える光源は、電源ＶＤＤから供給された電力に基づいて駆動するが、ＭＦＰ１が省電力状態に移行する際には、光源への給電は停止される。一方で、省電力状態から読取処理等を実行可能な通常モードへ移行する際には、光源への給電は再開されるが、光源から画像を読み取る為に十分な光量を得る為には、一定の時間を要する。この様な読取ユニット３は、読取制御部７による制御のもとで駆動し、読取ユニット３によって読み取られた画像は、読取制御部７に供給される。
【００１３】
印刷ユニット５は、入力された画像情報に基づくトナー像を形成する現像装置、トナー像を用紙上に転写する転写装置、用紙上にトナー像を定着させる定着装置等を備える。そしてこの様な印刷ユニット５は、潜像画像を担持する感光体ドラム等、比較的消費電力の多い駆動機器を備える為、ＭＦＰ１が省電力状態に移行する際には、感光体ドラムを含む現像装置、転写装置、及び定着装置等への給電は停止される。そして、ＭＦＰ１が省電力状態から印刷処理等を実行可能な通常モードへ移行する際には、現像装置、転写装置、及び定着装置への給電が再開されるが、特に定着装置においては、加熱手段を定着可能温度まで上昇させる為に一定の時間を要する。この様な印刷ユニット５は、印刷制御部９の制御のもとで駆動する。
【００１４】
読取制御部７は、読取ユニット３を制御する。また、読取制御部７は、読取ユニット３から供給された画像に基づいて中間画像データを生成する。そして読取制御部７は、ＭＦＰ１がかかる画像をコピーする場合には、生成した中間画像データを印刷画像作成部１１に供給する。一方、読取制御部７は、ＭＦＰ１がかかる画像をスキャンして画像データとして情報処理装置に供給する場合には、生成した中間画像データをファイル作成部１３に供給する。
【００１５】
印刷画像作成部１１は、読取制御部７から供給された中間画像データに基づいて、印刷制御部９によって認識可能なビットマップ形式の画像データを生成する。そして印刷画像作成部１１は、生成したビットマップ形式の画像データを印刷制御部９に供給する。また、ＭＦＰ１がファックスにより画像を送信する場合には、印刷画像作成部１１により作成された画像データは、通信部１５を構成するＦＡＸ通信部１７によって電話回線１９に送出され、受け取り側に送信される。
【００１６】
印刷制御部９は、印刷画像作成部１１から供給された画像データに基づいて印刷ユニット５を構成する各部を制御し、画像データに対応するトナー像を用紙上に印刷させる。
【００１７】
ファイル作成部１３は、読取制御部７で生成された中間画像データに基づいて、例えばＰＤＦ形式、ＴＩＦＦ形式、ＪＰＥＧ形式等のアプリケーション形式の画像ファイルを作成する。そしてファイル作成部１３により作成された画像ファイルは、通信部１５を構成するネットワーク通信部２１によってネットワーク２３に送出され、情報処理装置に提供される。
【００１８】
また、ＭＦＰ１は、印刷画像作成部１１又はファイル作成部１３の作業領域としてのＲＡＭ（Random Access Memory）等により構成されるメモリ部２５と、Ｆｌａｓｈ又はＨＤＤ等の不揮発性記憶媒体から構成される記憶部２７とを備える。具体的には記憶部２７は、処理内容に対応させて、何れの駆動部を使用するかを示す使用ユニット情報を記憶する。使用ユニット情報は、図２に示す様に、ユーザにより指定された処理内容と、当該処理を実行する為に使用されるユニットとを関連付けて構成される。例えば、同図に示す例で説明を行うと、外部の情報処理装置から入力された印刷データに基づく画像を印刷する場合、読取ユニット３は使用せず、印刷ユニット５は使用する為、使用ユニット情報の処理内容「Ｐｒｉｎｔ」に対応するフィールドには、かかる情報が記憶される。そしてＭＦＰ１は、この様な使用ユニット情報を用いて、ユーザにより指定された処理内容では使用する必要のないユニットへの給電を節約し、省エネルギー化を図ることができる。
【００１９】
また、ＭＦＰ１は、ユーザがＭＦＰ１に各種情報を入力する為の操作パネル２９を備える。また、操作パネル２９は、ユーザに対して各種情報を表示する。操作パネル２９は、図３に示す様に、ユーザに対して各種情報を表示する表示装置３１と、ユーザが文字等の情報を入力する為の文字入力キー３３と、各種設定メニューに移るための移動／選択キー３５と、カラー印刷等を実行させる為のＣｏｌｏｒキー及びモノクロ印刷等を実行させる為のＭｏｎｏキーからなるスタートキー３７と、設定や実行中の動作を中断する為のストップキー３９とを備える。そして表示装置３１に表示される情報は、操作制御部４１により制御される。また、文字入力キー３３等の各キーに入力された情報は、操作制御部４１を介して制御部４３に供給される。
【００２０】
制御部４３は、ＭＦＰ１を構成する各部を制御する。具体的には制御部４３は、操作パネル２９に入力された指令に基づいて、読取制御部７、印刷制御部９等に対して読取処理又は印刷処理の開始の指令を供給する。また、制御部４３は、所定の時間内に操作パネル２９の操作又は外部装置からの印刷データの入力がない場合には、読取ユニット３及び印刷ユニット５を構成する各部のうち、比較的消費電力の多い光源や定着器等への給電を停止することで、読取ユニット３及び印刷ユニット５を省電力状態に移行させる。また、制御部４３は、読取ユニット３及び印刷ユニット５が省電力状態にあるときに、操作パネル２９の何れかのキーを押下し又は印刷データを入力することによりユーザが第１の操作情報を入力した場合には、読取ユニット３及び印刷ユニット５を通常の処理を行うことが可能な通常状態に移行させる。さらに制御部４３は、第１の操作情報に次いで、具体的な処理内容を指示する第２の操作情報が入力された場合には、第２操作情報及び記憶部２７に記憶された使用ユニット情報を参照し、使用しないユニットを省電力状態に移行させる処理を実行する。
【００２１】
さらに具体的には、第１の操作情報とは、ＭＦＰ１が省電力状態にあるときに、ユーザが操作パネル２９の何れかのキーを押下して、ＭＦＰ１に入力される情報をいう。そしてこの様な第１の操作情報がＭＦＰ１に入力されると、ＭＦＰ１は、省電力状態から通常状態に移行する。また、別の例として、第１の操作情報としては、例えばユーザが読取ユニットの読み取り台に原稿をセットしたことを検出したことをＭＦＰ１のセンサが検出したときの検出結果がある。読取ユニットの読み取り台に原稿がセットされた場合には、ＭＦＰ１は、ユーザがファックス機能又はコピー機能の何れかを使用することを希望しているとして、原稿の検出信号を第１の操作情報として認識する。そして第１の操作情報が入力されるとＭＦＰ１は、読取ユニット３及び印刷ユニット５を通常モードに移行させるウォームアップ処理を開始する。
【００２２】
また、第２の操作情報とは、ユーザが指定した具体的な処理内容に関する情報をいう。具体的には、第１の操作情報が入力されると、表示装置３１には、図４に示す様に、トップメニュー画面５１が表示される。トップメニュー画面５１は、ユーザが所望する具体的な処理内容の選択を促す画面であり、ユーザは表示装置３１を参照しながら移動／選択キー３５を用いて具体的な処理を選択する。
【００２３】
そして、例えばユーザが「Ｃｏｐｙ」を選択した場合には、ＭＦＰ１は、第２の操作情報としてコピーを行う旨の指令が入力されたと判断する。そしてかかる指令は、制御部４３に供給される。さらにこのときＭＦＰ１は、コピーメニュー画面５３を表示装置３１に表示させることで、各種設定の選択を促す。また、このときＭＦＰ１は、コピー時には、読取ユニット３及び印刷ユニット５の双方を使用するものして、読取ユニット３及び印刷ユニット５を通常モードに移行させるウォームアップ処理を継続する。そしてＭＦＰ１は、読取ユニット３及び印刷ユニット５のウォームアップ処理が終了した後、一連のコピー処理を実行する。
【００２４】
また、ＭＦＰ１は、「Ｓｃａｎ」が選択された場合にはスキャンメニュー画面５５を表示装置３１に表示させると共に、第２の操作情報としてスキャンを行う旨の指令が入力されたと判断する。そしてかかる指令が制御部４３に入力されると、制御部４３は、記憶部２７に記憶された使用ユニット情報を参照して、スキャン時には印刷ユニット５を使用しないと判断する。そして制御部４３は、印刷制御部９に対して印刷ユニット５のウォームアップ処理を停止すべき旨の指令を供給する。そしてＭＦＰ１は、読取ユニット３のウォームアップが終了した後、一連のスキャン処理を実行する。
【００２５】
また、ＭＦＰ１は、「Ｆａｘ」が選択された場合にはファックスメニュー画面５７を表示装置３１に表示させると共に、かかる選択に対応する第２の操作情報が入力されたと判断する。そしてかかる指令が制御部４３に入力されると、制御部４３は、記憶部２７に記憶された使用ユニット情報を参照して、ファックスの送信時には印刷ユニット５を使用しないと判断する。そして制御部４３は、印刷制御部９に対して印刷ユニット５のウォームアップ処理を停止すべき旨の指令を供給する。そしてＭＦＰ１は、読取ユニット３のウォームアップが終了した後、原稿の読取処理及び読み取った原稿の送信処理を含むファックス処理を実行する。
【００２６】
また、「Ｍｅｎｕ」が選択された場合には、ＭＦＰ１は、メニュー画面５９を表示装置３１に表示させる。そしてこのときＭＦＰ１は、メニュー画面５９から選択可能な「装置情報印刷」及び「認証印刷」の処理において読取ユニット３は使用しないとして、読取ユニット３のウォームアップ処理を停止すべき旨の指令を読取制御部７に供給する。そして、例えばメニュー画面５９から「装置情報印刷」が選択された場合には制御部４３は、装置情報印刷メニュー６１を表示装置３１に表示させる。また、例えばメニュー画面５９から「認証印刷」が選択された場合には制御部４３は、認証印刷メニュー６３を表示装置３１に表示させる。
【００２７】
また、例えばメニュー画面５９から「管理者セットアップ」が選択された場合には制御部４３は、ユーザがＭＦＰ１の各機能を使用する目的ではなく管理目的であるとして読取ユニット３及び印刷ユニット５のウォームアップ処理を停止させる。またこのとき制御部４３は、管理者セットアップメニュー６５を表示装置３１に表示させる。これにより、ＭＦＰ１は、ＭＦＰ１の各機能の使用以外の目的でユーザが操作を開始した場合における消費電力を抑制することができる。
【００２８】
そして各種メニューを表示装置３１に表示させた後に、一定の時間、ユーザからの第２の操作情報の入力がない場合には、ＭＦＰ１は、表示装置３１に表示される画面をトップメニュー画面５１に戻す。そして制御部４３は、読取ユニット３及び印刷ユニット５のウォームアップを停止させる。
【００２９】
以下、ＭＦＰ１の動作について詳細な説明を行う。
【００３０】
先ず、最終使用時から所定の時間経過してＭＦＰ１全体が省電力状態にある場合の制御部４３の動作について、図５及び図６を参照しながら詳細な説明を行う。
【００３１】
ＭＦＰ１全体が省電力状態に移行して一連の処理が開始すると、ステップＳ１において制御部４３は、第１の操作情報が入力されたか否かを判断する。具体的にはかかる処理は、制御部４３が操作制御部４１から操作パネル２９の何れかのキーが押下された旨の通知があるか否かを判断することで実行される。そして制御部４３は、第１の操作情報が入力されるまでかかる処理を繰り返し実行する。
【００３２】
次に、ステップＳ２において制御部４３は、読取制御部７及び印刷制御部９に対して読取ユニット３及び印刷ユニット５のウォームアップの開始の指示を供給する。これにより読取制御部７は、読取ユニット３の光源への給電を開始する。また、印刷制御部９は、印刷ユニット５の定着器への給電を開始する。
【００３３】
次に、ステップＳ３において制御部４３は、表示装置３１にトップメニュー画面５１を表示させる。かかる処理は、制御部４３が、操作制御部４１に対して表示装置３１にトップメニュー画面５１を表示させるべき旨の指令を供給することで実行される。
【００３４】
そして制御部４３は、ステップＳ４以降の処理において、第２の操作情報の入力の有無を検出する。
【００３５】
具体的には、ステップＳ４において制御部４３は、「Ｃｏｐｙ」が選択されたか否かを判断する。そして、「Ｃｏｐｙ」が選択された場合には、制御部４３は、使用ユニット情報に基づいて読取ユニット３及び印刷ユニット５の双方を使用すると判断する。そしてステップＳ５において制御部４３は、コピーメニュー画面５３を表示装置３１に表示させる。その後、ステップＳ６において制御部４３は、ユーザにより選択されたコピー関連の処理を実行し、一連の処理を終了する。
【００３６】
また、ステップＳ４において「Ｃｏｐｙ」が選択されていないと判断した場合には、ステップＳ７において制御部４３は、「Ｓｃａｎ」が選択されたか否かを判断する。そして、「Ｓｃａｎ」が選択された場合には、制御部４３は、使用ユニット情報に基づいて印刷ユニット５は使用しないと判断する。そしてステップＳ８において制御部４３は、印刷ユニット５のウォームアップ処理を停止させる。その後、ステップＳ９において制御部４３は、スキャンメニュー画面５５を表示装置３１に表示させ、ユーザに指令の入力を促す。その後、ステップＳ１０において制御部４３は、ユーザにより選択されたスキャン関連の処理を実行し、一連の処理を終了する。
【００３７】
また、ステップＳ７において「Ｓｃａｎ」が選択されていないと判断した場合には、ステップＳ１１において制御部４３は、「Ｆａｘ」が選択されたか否かを判断する。そして、「Ｆａｘ」が選択された場合には、制御部４３は、使用ユニット情報に基づいて印刷ユニット５は使用しないと判断する。そしてステップＳ１２において制御部４３は、印刷ユニット５のウォームアップ処理を停止させる。その後、ステップＳ１３において制御部４３は、ファックスメニュー画面５７を表示装置３１に表示させ、ユーザに指令の入力を促す。その後、ステップＳ１４において制御部４３は、ユーザにより選択されたファックス関連の処理を実行し、一連の処理を終了する。
【００３８】
また、ステップＳ１１において「Ｆａｘ」が選択されていないと判断した場合には、ステップＳ１５において制御部４３は、「Ｍｅｎｕ」が選択されたか否かを判断する。そして、「Ｍｅｎｕ」が選択されていないと判断した場合には、ステップＳ１６において制御部４３は、トップメニュー画面５１を表示させてから一定の時間が経過したか否かを判断する。そして、一定の時間が経過していない場合には、制御部４３は再度ステップＳ４以降の処理を実行する。一方、トップメニュー画面５１を表示させてから一定の時間が経過したと判断した場合には、ステップＳ１７において制御部４３は、第２の操作情報の入力がないものとして、読取ユニット３及び印刷ユニット５の双方のウォームアップ処理を停止させ、一連の処理を終了する。
【００３９】
また、ステップＳ１５において「Ｍｅｎｕ」が選択されたと判断した場合には、メニュー画面５９から選択可能な「装置情報印刷」及び「認証印刷」の処理において読取ユニット３は使用しないとして、ステップＳ１８において制御部４３は、読取ユニット３のウォームアップ処理を停止させる。その後、ステップＳ１９において制御部４３は、メニュー画面５９を表示装置３１に表示させる。そして、ステップＳ２０において制御部４３は、「装置情報印刷」が選択されたか否かを判断する。そして、「装置情報印刷」が選択されたと判断した場合には、ステップＳ２１において制御部４３は、装置情報印刷メニュー６１を表示装置３１に表示させる。その後、ステップＳ２２において制御部４３は、例えばエラーログの印刷等、ユーザにより選択された装置情報印刷関連の処理を実行し、一連の処理を終了する。
【００４０】
また、ステップＳ２０において「装置情報印刷」が選択されていないと判断された場合には、ステップＳ２３において制御部４３は、「認証印刷」が選択されたか否かを判断する。そして、「認証印刷」が選択されたと判断した場合には、ステップＳ２４において制御部４３は、認証印刷メニュー６３を表示装置３１に表示させる。その後、ステップＳ２５において制御部４３は、認証印刷を実行し、一連の処理を終了する。
【００４１】
さらに、ステップＳ２３において「認証印刷」が選択されていないと判断した場合には、ステップＳ２６において制御部４３は、「管理者セットアップ」が選択された否かを判断する。そして「管理者セットアップ」が選択されたと判断した場合には、ステップＳ２７において制御部４３は、読取ユニット３及び印刷ユニット５のウォームアップ処理を停止させる。そしてステップＳ２８において制御部４３は、管理者セットアップ画面６５を表示装置３１に表示させる。その後、制御部４３は一連の処理を終了する。
【００４２】
また、ステップＳ２６において「管理者セットアップ」が選択されていないと判断した場合には、ステップＳ２９において制御部４３は、メニュー画面５９を表示させてから一定の時間が経過したか否かを判断する。そして、一定の時間が経過していないと判断した場合には、制御部４３は、再度ステップＳ２０以降の処理を実行する。
【００４３】
一方、メニュー画面５９を表示させてから一定の時間が経過したと判断した場合には、制御部４３は、ステップＳ３０において印刷ユニット５のウォームアップ処理を停止させ、ステップＳ３１において表示装置３１にトップメニュー画面５１を表示させた後、一連の処理を終了する。
【００４４】
次に、上述の一連の処理に際しての読取制御部７の一連の処理について、図７を参照しながら詳細な説明を行う。
【００４５】
一連の処理が開始すると、ステップＳ４１において読取制御部７は、制御部４３からウォームアップ処理の開始の指令が入力されたか否かを判断する。具体的には、制御部４３が第１の操作情報が入力されたと判断した場合にかかる指令が入力される。そして読取制御部７は、ウォームアップ処理の開始の指令が入力されるまでかかる処理を繰り返し実行する。
【００４６】
次に、ステップＳ４２において読取制御部７は、読取ユニット３のウォームアップ処理を開始する。かかる処理は、読取制御部７が、電源ＶＤＤに、給電が停止されている光源への給電を再開させることで実行される。
【００４７】
次に、ステップＳ４３において読取制御部７は、制御部４３からウォームアップ処理の停止の指令が入力されたか否かを判断する。具体的には、制御部４３が第２の操作情報が入力されたと判断し、さらに読取ユニット３が使用されないと判断された場合に、かかる指令が入力される。そして、ウォームアップ処理の停止の指令が入力されたと判断した場合には、ステップＳ４４において読取制御部７は、読取ユニット３のウォームアップ処理を停止させ、一連の処理を終了する。
【００４８】
一方、ステップＳ４３においてウォームアップ処理の停止の指令が入力されていないと判断した場合には、ステップＳ４５において読取制御部７は、読取開始の指令が入力されたか否かを判断する。具体的には、制御部４３が、ユーザが操作パネル２９にファックス又はスキャンの開始指令を入力したと判断した場合にかかる指令が入力される。そして、読取開始の指令が入力されていないと判断した場合には、読取制御部７は、ステップＳ４３以降の処理を繰り返し実行する。
【００４９】
そして、ステップＳ４５において読取開始の指令が入力されたと判断した場合には、ステップＳ４６において読取制御部７は、セットされた画像を読み取る。その後、読取制御部７は、ステップＳ４７において読み取った画像の中間画像データを生成し、ステップＳ４８において制御部４３に読取完了の通知を供給する。その後、読取制御部７は、一連の処理を終了する。
【００５０】
次に、上述の一連の処理に際しての印刷制御部９の一連の処理について、図８を参照しながら詳細な説明を行う。
【００５１】
一連の処理が開始すると、ステップＳ５１において印刷制御部９は、制御部４３からウォームアップ処理の開始の指令が入力されたか否かを判断する。具体的には、制御部４３が第１の操作情報が入力されたと判断した場合にかかる指令が入力される。そして印刷制御部９は、ウォームアップ処理の開始の指令が入力されるまでかかる処理を繰り返し実行する。
【００５２】
次に、ステップＳ５２において印刷制御部９は、印刷ユニット５のウォームアップ処理を開始する。かかる処理は、印刷制御部９が、電源ＶＤＤに、給電が停止されている定着器への給電を再開させることで実行される。
【００５３】
次に、ステップＳ５３において印刷制御部９は、制御部４３からウォームアップ処理の停止の指令が入力されたか否かを判断する。具体的には、制御部４３が第２の操作情報が入力されたと判断し、さらに印刷ユニット５が使用されないと判断された場合に、かかる指令が入力される。そして、ウォームアップ処理の停止の指令が入力されたと判断した場合には、ステップＳ５４において印刷制御部９は、印刷ユニット５のウォームアップ処理を停止させ、一連の処理を終了する。
【００５４】
一方、ステップＳ５３においてウォームアップ処理の停止の指令が入力されていないと判断した場合には、ステップＳ５５において印刷制御部９は、印刷開始の指令が入力されたか否かを判断する。具体的には、制御部４３が、ユーザが操作パネル２９にコピーの開始指令を入力したと判断した場合にかかる指令が入力される。そして、印刷開始の指令が入力されていないと判断した場合には、印刷制御部９は、ステップＳ５３以降の処理を繰り返し実行する。
【００５５】
そして、ステップＳ５５において印刷開始の指令が入力されたと判断した場合には、ステップＳ５６において印刷制御部９は、指定された画像を印刷し、一連の処理を終了する。
【００５６】
次に、印刷画像作成部１１の一連の動作について、図９を参照しながら詳細な説明を行う。
【００５７】
一連の処理が開始すると、ステップＳ６１において印刷画像作成部１１は、画像データ作成の指令が入力されたか否かを判断する。具体的には、画像データ作成の指令は、制御部４３が、プリント、コピー、装置情報印刷、若しくは認証印刷があったと判断した場合、又は電話回線１９を通じてファックスを受信したと判断した場合に、制御部４３から印刷画像作成部１１に入力される。そして印刷画像作成部１１は、かかる指令が入力されるまで同一の処理を繰り返し実行する。
【００５８】
次に、ステップＳ６２において印刷画像作成部１１は、制御部４３により指定されたデータを読み出す。具体的には印刷画像作成部１１は、制御部４３からプリント又は認証印刷の指令が入力された場合には、ネットワーク２３及びネットワーク通信部２１を介してＭＦＰ１に入力され、メモリ部２５に記憶された印刷データを読み出す。また、印刷画像作成部１１は、制御部４３からコピーの指令が入力された場合には、読取制御部７により生成された中間画像データを読み出す。また、印刷画像作成部１１は、制御部４３からファックス受信の指令が入力された場合には、電話回線１９及びＦＡＸ通信部１７を介してＭＦＰ１に入力され、メモリ部２５に記憶されたファックスデータを読み出す。また、印刷画像作成部１１は、制御部４３から装置情報印刷の指令が入力された場合には、記憶部２７に記憶されたエラーログ等を読み出す。
【００５９】
その後、ステップＳ６３において印刷画像作成部１１は、読み出したデータに基づいてビットマップ形式の画像データを作成する。そして、ステップＳ６４において印刷画像作成部１１は、作成した画像データを印刷制御部９に供給して一連の処理を終了する。そして印刷制御部９は、供給された画像データに基づく画像を印刷する。
【００６０】
次に、ファイル作成部１３の一連の動作について、図１０を参照しながら詳細な説明を行う。
【００６１】
一連の処理が開始すると、ステップＳ７１においてファイル作成部１３は、画像ファイル作成の指令が入力されたか否かを判断する。具体的には、画像ファイル作成の指令は、制御部４３が、スキャンした画像をＥ−ｍａｉｌにより送信する場合に、制御部４３からファイル作成部１３に入力される。そしてファイル作成部１３は、かかる指令が入力されるまで同一の処理を繰り返し実行する。
【００６２】
次に、ステップＳ７２においてファイル作成部１３は、制御部４３により指定された中間画像データを読取制御部７から読み出す。その後、ステップＳ７３においてファイル作成部１３は、読み出したデータに基づいてアプリケーション形式の画像ファイルを作成する。そして、ステップＳ７４においてファイル作成部１３は、作成した画像ファイルをネットワーク通信部２１に供給して一連の処理を終了する。そしてネットワーク通信部２１は、供給された画像ファイルを指定されたあて先に送信する。
【００６３】
この様にＭＦＰ１は、ユーザが操作パネル２９の操作を開始した時点で読取ユニット３及び印刷ユニット５のウォームアップ処理を開始し、さらにユーザが操作パネル２９に入力した具体的な処理内容に応じて各ユニットのウォームアップ処理を停止させる。そしてこれにより、ＭＦＰ１によれば、ウォームアップ処理に際してのユーザの待機時間を最小限に止めることができる。また、ＭＦＰ１によれば、使用しないユニットのウォームアップ処理を停止させることで、装置全体の消費電力を抑制することができる。
【００６４】
尚、本発明は上述の実施の形態に限られるものではなく、各構成は、本発明の趣旨を逸脱しない範囲で適宜変更可能である。
【００６５】
例えば、上述の実施の形態においては、画像処理装置としてＭＦＰを例に詳細な説明を行ったが、画像処理装置は、ＭＦＰに限らず複数の画像処理部を有する装置であればどの様な装置であってもよい。
【図面の簡単な説明】
【００６６】
【図１】実施の形態にかかるＭＦＰのブロック図である。
【図２】同ＭＦＰが記憶する使用ユニット情報の例を示す図である。
【図３】同ＭＦＰが備える操作パネルの平面図である。
【図４】表示装置に表示される画面の例を示す図である。
【図５】ＭＦＰの動作を示すフロー図である。
【図６】ＭＦＰの動作を示すフロー図である。
【図７】ＭＦＰの動作を示すフロー図である。
【図８】ＭＦＰの動作を示すフロー図である。
【図９】ＭＦＰの動作を示すフロー図である。
【図１０】ＭＦＰの動作を示すフロー図である。
【符号の説明】
【００６７】
１    ＭＦＰ
３    読取ユニット
５    印刷ユニット
７    読取制御部
９    印刷制御部
１１    印刷画像作成部
１３    ファイル作成部
２５    メモリ部
２７    記憶部
２９    操作パネル
３１    表示装置
３３    文字入力キー
３５    選択キー
３７    スタートキー
３９    ストップキー
４１    操作制御部
４３    制御部
【図１】
2009081815.tif 000003
【図２】
2009081815.tif 000004
【図３】
2009081815.tif 000005
【図４】
2009081815.tif 000006
【図５】
2009081815.tif 000007
【図６】
2009081815.tif 000008
【図７】
2009081815.tif 000009
【図８】
2009081815.tif 000010
【図９】
2009081815.tif 000011
【図１０】
2009081815.tif 000012